【事件の表示】
　特願２０１３−５４２６７３「投射型映像表示装置」拒絶査定不服審判事件〔平成２５年　５月１６日国際公開、ＷＯ２０１３／０６９０３９〕について、次のとおり審決する。
【結　論】
　本件審判の請求は、成り立たない。
【理　由】
１　手続の経緯
　本願は、２０１１年１１月７日を国際出願日とする出願であって、平成２７年２月２０日付けで拒絶理由が通知され、同年４月２２日付けで意見書が提出されるとともに手続補正がされたが、同年９月１４日付け（同年同月２４日送達）で拒絶査定がなされ、これに対し、同年１２月２１日に拒絶査定不服審判請求がなされるとともに、これと同時に手続補正がなされた後、当審において、平成２８年１１月１日付け（同年同月８日発送）で拒絶理由が通知され、平成２９年１月５日付けで意見書が提出されるとともに手続補正がなされたものである。
　
２　本願発明
　本願の請求項１及び２に係る発明は、平成２９年１月５日になされた手続補正後の特許請求の範囲の請求項１及び２に記載された事項により特定されるものと認められるところ、請求項１に係る発明は、次のとおりのものである（以下、「本願発明」という。）。
「光源から出射される光を複数の光束に分割するレンズアレイと、
　前記レンズアレイからの光を集光する集光レンズと、
　前記集光レンズからの光の色を分離する色分離光学系と、
　前記色分離光学系によって分離された光から光学像を形成する複数の映像表示素子と、
　前記映像表示素子の光の入射側に配置される複数の入射偏光板と、
　前記映像表示素子の光の出射側に配置される複数の出射偏光板と、
　前記色分離光学系により分離された光を合成するプリズムと、
　前記光学像を投射する投射レンズと、
　前記複数の映像表示素子を冷却するシロッコファンと、
　前記シロッコファンからの冷却風を前記複数の映像表示素子の下部から送るための冷却ダクトと、
　それぞれの前記映像表示素子の光の入射側に配置され、前記冷却ダクトからの冷却風の流路を分離する隔壁ダクトと、を備え、
　前記入射偏光板は、回転調整部材を介して前記隔壁ダクトに取り付けられ、
　前記隔壁ダクトは、前記回転調整部材の回転中心を決める機能と前記回転調整部材を保持する機能を備え、
　前記隔壁ダクトは、前記入射偏光板から前記プリズムまでの光路が、分離された色毎に隔てられた空間に含まれるよう配置され、
　前記隔壁ダクトは、各光路の前記入射偏光板から前記プリズムまでの側面を塞いでいるため、前記映像表示素子へ照射された光のうち前記映像表示素子の有効光領域外に照射された光が前記投射レンズへ入ることを抑えられる構造となっている、
　投射型映像表示装置。」
　
３　刊行物の記載及び引用発明
（１）引用文献１
　当審において通知した拒絶の理由に引用した、本願の国際出願日前に日本国内において頒布された刊行物である、特開２００５−４０７１号公報（以下「引用文献１」という。）には、以下の記載がある（下線は当審にて付した。以下同じ）。
ア　「【０００１】
【発明の属する技術分野】
本発明は、光学部品用筐体及びプロジェクタに関する。・・・
【００１８】
電気光学装置４４は、入射された光束を画像情報に応じて変調してカラー画像を形成するものであり
　
イ　「【００４４】
［第５実施形態］
次に、図９から図１１を参照して発明の第５実施形態について説明する。
前記実施形態では、光学ユニット４Ａの色合成光学系４５Ａは、複数の色合成用ダイクロイックミラー４５１，４５２により各色光を合成するものであったが、本実施形態の
色合成光学系４５Ｂは、クロスダイクロイックプリズム４５０により各色光を合成するものであ
すなわち、本実施形態の
光学ユニット４Ｅは、
光源装置４１を含むインテグレータ照明光学系４０、色分離光学系４２、リレー光学系４３、電気光学装置４４、色合成光学系４５Ｂおよび投写レンズ４６を備え
【００４５】
インテグレータ照明光学系４０は、
光源装置４１と、第１レンズアレイ４１２と、第２レンズアレイ４１３と、偏光変換光学素子４１４と、重畳レンズ４１５とを備え
第１レンズアレイ４１２は、光軸方向から見てほぼ矩形状の輪郭を有する小レンズがマトリクス状に配列された構成を有し
各小レンズは、光源ランプ４１１から射出される光束を、複数の部分光束に分割し
【００４８】
具体的に、
偏光変換光学素子４１４によって１種類の偏光光に変換された各部分光は、重畳レンズ４１５によって最終的に電気光学装置４４の液晶パネル４４１Ｒ，４４１Ｇ，４４１Ｂ上にほぼ重畳され
【００４９】
色分離光学系４２は、２枚のダイクロイックミラー４２４，４２５と、反射ミラー４２６とを備え、ダイクロイックミラー４２４、４２５によりインテグレータ照明光学系４０から射出された複数の部分光束を赤、緑、青の３色の色光に分離する機能を有し
【００５４】
このような
光学ユニット４Ｅは、
ライトガイド７に収納され
ライトガイド７は、
各光学部品を上方から収納するための収容用の開口が形成された箱状の下ライトガイド７１及び下ライトガイド７１の開口を閉塞する蓋状の上ライトガイド７２
を備えた筐体本体７０を備え
下ライトガイド７１は、光源装置４１を収容したランプハウジング（光源ユニット）を収納するランプハウジング収納部７１Ａと、他の光学部品を収納する箱状の光学部品収納部７１Ｂとを有している。・・・
【００５６】
下ライトガイド７１の光学部品収納部７１Ｂの底面部７１２には、
このような底面部７１２には、図１０及び図１１に示すように、
クロスダイクロイックプリズム４５０を囲むように配置されるとともに、底面部７１２側及び上ライトガイド７２側が開口した筒状のダクト６Ｅが形成され
このダクト６Ｅは、底面部７１２と一体的に形成されており、底面部７１２から立設されるとともに、液晶パネル４４１が取り付けられる板状の基部６１Ｅと、この基部６１Ｅに取り付けられた液晶パネル４４１の光束入射側を囲むように設けられた断面略コ字形のカバー部６２Ｅとを備え
【００５７】
基部６１Ｅ及びカバー部６２Ｅは、各液晶パネル４４１に応じて３つずつ設けられており、ダクト６Ｅには３つの筒状部が形成され
３つの基部６１Ｅは
その中央部分に液晶パネル４４１から射出された光束を透過させるための第１の開口部６１２Ａが形成され
【００５８】
さらに、
基部６１Ｅの外側には、第１の開口部６１２Ａを塞ぐように、熱伝導性の接着剤を介して射出側偏光板４４３が貼り付けられ
一方
、カバー部６２Ｅは、底面部７１２から立設されるとともに、基部６１Ｅと一体的に成形され
このカバー部６２Ｅの液晶パネル４４１と対向する面には、液晶パネル４４１への入射光束を透過させるための第２の開口部６２２Ａが形成され
この第２の開口部６２２Ａには入射側偏光板４４２が取り付けられ
このような、ダクト６Ｅが形成された底面部７１２には、液晶パネル４４１の位置に対応するとともに、ダクト６Ｅの３つの筒状部に連通する３つの開口７１２Ａ１が形成されている。また、各射出側偏光板４４３の位置に対応した３つの開口７１２Ａ２も形成されている。
なお、ダクト６Ｅの基部６１Ｅ及びカバー部６２Ｅは上ライトガイド７２と当接しており、この上ライトガイド７２には、ダクト６Ｅの３つの筒状部に連通する３つの開口７２１Ａ１及び各射出側偏光板４４３の位置に対応した３つの開口７２１Ａ２が形成されている。
【００５９】
また、
下ライトガイド７１の底面部７１２の下面側
のリブ７１２Ｃで囲まれた部分に吸気ファンＦ３が設置され、
【００６１】
次に、液晶パネル４４１の冷却構造について説明する。
まず、吸気ファンＦ３を駆動させると、外装ケース２外部の冷却空気が外装ケース２内に吸引され、下ライトガイド７１の光学部品収納部７１Ｂの底面部７１２に形成された開口７１２Ａ１，７１２Ａ２に導入される。開口７１２Ａ１に導入された冷却空気はダクト６Ｅ内に導入され、液晶パネル４４１、入射側偏光板４４２を冷却する。そして、この冷却空気はダクト６Ｅに連通する上ライトガイド７２の開口７２１Ａ１から排出される。
一方、開口７１２Ａ２に導入された空気は、３つの基部６１Ｅで囲まれた部分に導入されて、射出側偏光板４４３、クロスダイクロイックプリズム４５０を冷却する。そして、この冷却空気は上ライトガイド７２の開口７２１Ａ２から排出される。
上ライトガイド７２の開口７２１Ａ１，７２１Ａ２から排出された冷却空気は、上ライトガイド７２と外装ケース２のアッパーケース２２との間を通り、光学ユニット４Ｅの前方側に送風される。そして、この冷却空気は電源ユニット３、ランプハウジング収納部７１Ａ内に導入され、さらには、外装ケース２に形成された排気口から排出される。」
　
ウ　図９ないし１１は次のものである。
【図９】
【図１０】
【図１１】
　
エ　上記イの記載を踏まえて、上記ウの図９ないし１１をみると、吸気ファンＦ３からの冷却空気を液晶パネル４４１の下部から送るためのダクト６Ｅには、下ライトガイド７１の底面部７１２の下面側の下方に突出した環状のリブ７１２Ｃと、前記液晶パネル４４１の光の入射側に配置され、基部６１Ｅに取り付けられた液晶パネル４４１の光束入射側を囲むように設けられ、入射側偏光板４４２が取り付けられている断面略コ字形のカバー部６２Ｅとを備え、前記基部６１Ｅ及びカバー部６２Ｅは、３つの各液晶パネル４４１に応じて３つずつ設けられており、ダクト６Ｅには３つの筒状部が形成されることで前記環状のリブ７１２Ｃからの冷却空気の流路を分離し、前記カバー部６２Ｅは、入射側偏光板４４２からクロスダイクロイックプリズム４５０までの光路が、分離された色毎に隔てられた３つの筒状部に含まれるよう配置され、３つの各液晶パネル４４１の出射側に出射出側偏光板４４３が配置される点が見て取れる。
　
オ　上記アないしエによれば、引用文献１には、次の発明（以下、「引用発明」という。）が記載されているものと認められる。
「光学ユニット４Ｅは、光源装置４１を含むインテグレータ照明光学系４０、色分離光学系４２、リレー光学系４３、電気光学装置４４、色合成光学系４５Ｂおよび投写レンズ４６を備え、
　前記電気光学装置４４は、入射された光束を画像情報に応じて変調してカラー画像を形成するものであり
　前記色合成光学系４５Ｂは、クロスダイクロイックプリズム４５０により各色光を合成するものであり、
　前記インテグレータ照明光学系４０は、光源装置４１と、第１レンズアレイ４１２と、第２レンズアレイ４１３と、偏光変換光学素子４１４と、重畳レンズ４１５とを備え、
　前記第１レンズアレイ４１２は、光軸方向から見てほぼ矩形状の輪郭を有する小レンズがマトリクス状に配列された構成を有し、前記各小レンズは、光源ランプ４１１から射出される光束を、複数の部分光束に分割し、
　前記偏光変換光学素子４１４によって１種類の偏光光に変換された各部分光は、重畳レンズ４１５によって最終的に電気光学装置４４の液晶パネル４４１Ｒ，４４１Ｇ，４４１Ｂ上にほぼ重畳され、
　色分離光学系４２は、２枚のダイクロイックミラー４２４，４２５と、反射ミラー４２６とを備え、ダイクロイックミラー４２４、４２５によりインテグレータ照明光学系４０から射出された複数の部分光束を赤、緑、青の３色の色光に分離する機能を有し、
　前記光学ユニット４Ｅは、ライトガイド７に収納され、前記ライトガイド７は、各光学部品を上方から収納するための収容用の開口が形成された箱状の下ライトガイド７１及び下ライトガイド７１の開口を閉塞する蓋状の上ライトガイド７２を備えた筐体本体７０を備え、
　前記下ライトガイド７１の光学部品収納部７１Ｂの底面部７１２には、クロスダイクロイックプリズム４５０を囲むように配置されるとともに、底面部７１２側及び上ライトガイド７２側が開口した筒状のダクト６Ｅが形成され、前記このダクト６Ｅは、底面部７１２と一体的に形成されており、底面部７１２から立設されるとともに、液晶パネル４４１が取り付けられる板状の基部６１Ｅと、この基部６１Ｅに取り付けられた液晶パネル４４１の光束入射側を囲むように設けられた断面略コ字形のカバー部６２Ｅとを備え、
　前記基部６１Ｅ及びカバー部６２Ｅは、各液晶パネル４４１に応じて３つずつ設けられており、ダクト６Ｅには３つの筒状部が形成され、前記３つの基部６１Ｅは、その中央部分に液晶パネル４４１から射出された光束を透過させるための第１の開口部６１２Ａが形成され、
　前記基部６１Ｅの外側には、第１の開口部６１２Ａを塞ぐように、熱伝導性の接着剤を介して射出側偏光板４４３が貼り付けられ、前記カバー部６２Ｅは、底面部７１２から立設されるとともに、基部６１Ｅと一体的に成形され、前記カバー部６２Ｅの液晶パネル４４１と対向する面には、液晶パネル４４１への入射光束を透過させるための第２の開口部６２２Ａが形成され、前記第２の開口部６２２Ａには入射側偏光板４４２が取り付けられ、
　前記下ライトガイド７１の底面部７１２の下面側のリブ７１２Ｃで囲まれた部分に吸気ファンＦ３が設置され、
　前記吸気ファンＦ３からの冷却空気を液晶パネル４４１の下部から送るためのダクト６Ｅには、下ライトガイド７１の底面部７１２の下面側の下方に突出した環状のリブ７１２Ｃと、前記液晶パネル４４１の光の入射側に配置され、基部６１Ｅに取り付けられた液晶パネル４４１の光束入射側を囲むように設けられ、入射側偏光板４４２が取り付けられている断面略コ字形のカバー部６２Ｅとを備え、前記基部６１Ｅ及びカバー部６２Ｅは、３つの各液晶パネル４４１に応じて３つずつ設けられており、ダクト６Ｅには３つの筒状部が形成されることで前記環状のリブ７１２Ｃからの冷却空気の流路を分離し、前記カバー部６２Ｅは、入射側偏光板４４２からクロスダイクロイックプリズム４５０までの光路が、分離された色毎に隔てられた３つの筒状部に含まれるよう配置され、３つの各液晶パネル４４１の出射側に出射出側偏光板４４３が配置される、
　プロジェクタ。」
　
（２）同じく、当審において通知した拒絶の理由に引用した、本願の国際出願日前に日本国内において頒布された刊行物である、特開２０１１−２０９５３３号公報（以下、「引用文献２」という。）には、以下の記載がある。
ア　「【技術分野】
【０００１】
　本発明は、プロジェクターに関する。」
　
イ　「【００１９】
［冷却ファンの構成］
　第１冷却ファン７は、図１に示すように、投射レンズ３の右側面側に配設され、第２冷却ファン８は、図１に示すように、投射レンズ３の左側面側に配設され、各冷却ファン７，８は、本実施形態では、シロッコファンで構成される。
　第１、第２冷却ファン７，８は、空気を吸入する吸入口（図示略）と、空気を吐出する吐出口７１，８１とを備えている。
　各冷却ファン７，８の吸入口は、外装筐体２に形成された吸気口（図示略）に対向するように配置され、プロジェクター１の外部の空気が吸気口から各冷却ファン７，８の吸入口に吸入される。
　図２に示すように、第１冷却ファン７の吐出口７１は、第１ダクト部６１の一端側に接続され、第２冷却ファン８の吐出口８１は、第２ダクト部６１の一端側に接続される。
【００２０】
　図３は、冷却装置５の平面図であり、具体的には、冷却装置５に光学装置４５が配置された状態を天面側から見た平面図である。図３中の破線矢印は、冷却空気の流れ方向を示している。
　第１冷却ファン７は、図３に示すように、外部の空気を吸入し、冷却空気Ａ１として冷却対象である緑色光側の光変調装置４５１Ｇ、赤色光側の光変調装置４５１Ｒ、入射側偏光板４５２、及び出射側偏光板４５３に対して第１ダクト部６１を介して吐出する。
　第２冷却ファン８も同様に、図３に示すように、吸気口から外部の空気を吸入し、冷却空気Ｂ１として冷却対象である緑色光側の光変調装置４５１Ｇ、青色光側の光変調装置４５１Ｂ、入射側偏光板４５２、及び出射側偏光板４５３に対して第２ダクト部６２を介して吐出する。」
　
ウ　図１ないし４は次のものである。
【図１】
【図２】
【図３】
【図４】
　
（３）同じく、当審において通知した拒絶の理由に引用した、本願の国際出願日前に日本国内において頒布された刊行物である、特開２０１０−９１６４８号公報（以下、「引用文献３」という。）には、以下の記載がある。
ア　「【技術分野】
【０００１】
　本発明は、光を投射することによって映像をスクリーン等に映し出す投射型表示装置等の電子機器に使用する電子機器用送風装置及び送風装置付き電子機器に係るものである。そして、詳しくは、冷却対象（電子機器や熱を伴う部品）の冷却のための風を、風の流路内で、目的とする排気部に向かって一直線状に、効率的に送ることができるようにした技術に関するものである。」
　
イ　「【００１６】
［電子機器（液晶プロジェクタ１０）の構成例］
　図１は、本発明の電子機器の一実施形態としての、液晶プロジェクタ１０の内部構造を示す斜視図である。
　また、図２は、図１に示す液晶プロジェクタ１０における光学ユニット４０の内部構造を示す平面図である。
　さらにまた、図３は、本発明の電子機器の一実施形態としての、液晶プロジェクタ１０の内部構造を示す正面図である。
　なお、この液晶プロジェクタ１０には、本発明の送風装置の一実施形態としての、シロッコファン２０及び送風ダクト３０が組み込まれている。
【００１７】
　液晶プロジェクタ１０は、図１に示すように、直方体状のケース１１の内部に、平面形状が略Ｌ字状の光学ユニット４０を収納したものである。この光学ユニット４０は、映像を映し出すための光を出射するランプユニット４１（本発明における光源に相当するもの）と、ランプユニット４１から出射された光の変調を行うライトバルブ４２とを有している。そして、光学ユニット４０のライトバルブ４２に近い側面に、レンズ保持枠１２が取り付けられている。また、レンズ保持枠１２には、先端部がケース１１の側面から突出するようにして、映像を投射する投射レンズ１３が保持されている。そのため、ランプユニット４１から出射された光をライトバルブ４２に照射することによって得られた映像は、投射レンズ１３を介してスクリーン等に映し出されることとなる。
【００１８】
　また、光学ユニット４０の下面側には、ユニットフレーム１４を介して、偏平な箱状の送風ダクト３０が配置されている。そして、送風ダクト３０には、同じく偏平な箱状のシロッコファン２０が接続されている。このシロッコファン２０は、ライトバルブ４２等の熱を伴う部品を冷却するための風を発生させるものである。一方、送風ダクト３０は、シロッコファン２０によって発生した風をライトバルブ４２等に向けて進行方向を変えて案内するものである。さらにまた、ケース１１の側面には、投射レンズ１３に隣接するようにして２つの排気用ファン１５が配置されている。そのため、シロッコファン２０からの風により、光学ユニット４０内のライトバルブ４２等を限界保証温度以下に保持することができる。そして、光学ユニット４０内を流れた風は、排気用ファン１５によってケース１１の外部に排出される。」
　
ウ　図３ないし５は次のものである。
【図３】
　
（４）同じく、当審において通知した拒絶の理由に引用した、本願の国際出願日前に日本国内において頒布された刊行物である、特開２００３−２４１３１５号公報（以下、「引用文献４」という。）には、以下の記載がある。
ア　「【０００１】
【発明の属する技術分野】本発明は、液晶プロジェクターに適用するのに最適な投射型表示装置であって、特に、光源部から出射された光のうちの赤色、緑色、青色の３色の波長帯域の光をそれぞれ変調して３色の映像を得る３組の入射側偏光板、ライトバルブ及び出射側偏光板からなるライトバルブユニットを冷却風によって冷却する技術の分野に属するものである。」
　
イ　「【００４２】このように、このライトバルブユニット空冷装置４０の送風ガイド機構は、３箇所の冷却風放出口６０Ｒ、６０Ｇ、６０Ｂと４つの送風ガイド６１Ａ、６１Ｂ、６１Ｃ、６１Ｄとによって構成されている。そして、図７、図８、図１３及び図１４に示すように、ライトバルブユニット２４の強制空冷時には、シロッコファン４７によってダクトジョイント５６及び送風ダクト５４を通して３箇所の冷却風吹出口４３Ｒ、４３Ｇ、４３Ｂから空冷用空間部４１の下部に上向きに吹き出された冷却風ＣＷを、垂直状をなす４つの送風ガイド６１Ａ、６１Ｂ、６１Ｃ、６１Ｄ間で上方へスムーズに誘導することができる。」
　
ウ　図７ないし９は次のものである。
　
（５）同じく、当審において通知した拒絶の理由に引用した、本願の国際出願日前に日本国内において頒布された刊行物である、特開２００９−３１０６号公報（以下、「引用文献５」という。）には、以下の記載がある。
ア　「【０００１】
　本発明は、液晶パネルを通して変調された光をスクリーンに投影するプロジェクタに関する。」
　
イ　「【００３７】
　そのため、図１及び図２では図示を省略しているが、入射側無機偏光板２１、２２、２３と射出側無機偏光板２７、２８、２９とをそれぞれ光軸を中心に回転させる回転機構を
設けている。
【００３８】
　各偏光板２１、２２、２３、２７、２８、２９の回転機構の構成は共通しており、図３には代表して入射側無機偏光板２１の回転機構の構成例を示している。入射側無機偏光板２１は、ホルダー６１に保持している。ホルダー６１は、プロジェクタ内で、ＶＡ液晶パネル２４、２５、２６（図２）に対する位置が固定された支持枠６２に、入射側無機偏光板２１の光軸Ｘを回転中心として回転可能に支持されている。
【００３９】
　ホルダー６１には、指で摘むための突起６１ａが設けられており、この突起６１ａを光軸に垂直な平面内で図の矢印方向に移動させると、ホルダー６１が支持枠６２内で回転することにより、入射側無機偏光板２１が光軸を中心に回転する。
【００４０】
　なお、図３に示した回転機構の構成はあくまで一例であり、既に公知となっている適宜の回転機構を採用してよい。
【００４１】
　プロジェクタの製造時に、こうした回転機構で入射側無機偏光板２１、２２、２３と射出側無機偏光板２７、２８、２９との回転位置を調節することにより、入射側無機偏光板２１、２２、２３からＶＡ液晶パネル２４、２５、２６に入射する光の偏光状態を揃え、ＶＡ液晶パネル２４、２５、２６から偏光状態を揃えて射出される光の偏光方向に射出側無機偏光板２７、２８、２９の偏光軸を合わせ込むことができる。これにより、ＶＡ液晶パネルを用いる場合でも、スクリーンに投影される画像のコントラストが最大になるように調整することができる。」
　
ウ　図３は次のものである。
　
（６）同じく、当審において通知した拒絶の理由に引用した、本願の国際出願日前に日本国内において頒布された刊行物である、特開２００７−２９８８９３号公報（以下、「引用文献６」という。）には、以下の記載がある。
ア　「【技術分野】
【０００１】
　本発明は、光源からの光を光学系に導いて映像を生成し、前方のスクリーンへ拡大投射する液晶プロジェクタ装置に関するものである。」
　
イ　「【００２９】
回転調整機構(92)
　図５に示す如く、光学装置(３)を包囲して、前記ケーシング(１)内の一定位置に、合成樹脂製の支持ベース(８)が設けられており、該支持ベース(８)には、映像生成ユニット毎の合体フレーム(９)を支持すべき円弧状ガイド面(80)が、光学装置(３)を包囲する３箇所に配備されている。各円弧状ガイド面(80)は、光軸と平行な水平軸を中心とする円弧面に形成されている。
【００３０】
　図１０の如く、偏光板用フレーム(90)の上端縁には、前記円弧状ガイド面(80)と同一曲率の円弧面を有する円弧状摺動片(94)が水平方向に突設されており、該円弧状摺動片(94)が図６に示す様に支持ベース(８)の円弧状ガイド面(80)に摺接して、偏光板用フレーム(90)の光軸と平行な水平軸回りの回転が案内されている。
　円弧状摺動片(94)には、図９の如く周方向に延びる３本の長孔状の貫通孔(89)(89)(89)が開設されており、図６の如く２本の貫通孔(89)(89)に支持ベース(８)上の２本の突起部(81)(81)が嵌入して、円弧状摺動片(94)の摺動が円弧線上に規制されている。又、残りの１本の貫通孔(89)にビス(100)が貫通し、その先端部が支持ベース(８)にねじ込まれて、円弧状摺動片(94)を円弧状ガイド面(80)上に固定することが可能である。
【００３１】
　上記回転調整機構(92)においては、ビス(100)を緩めた状態で、合体フレーム(９)に光軸回りの回転力を加えることによって、図１２に示す様に、円弧状摺動片(94)が円弧状ガイド面(80)に沿って摺動し、光軸と平行な中心軸回りの合体フレーム(９)の回転が案内される。この結果、偏光板と光学補償板が光軸を中心とする正確な回転を行なうことになる。
　回転角度の調整後、ビス(100)を締め付けることにより、円弧状ガイド面(80)に対して円弧状摺動片(94)が固定される。この結果、偏光板用フレーム(90)が移動することはなく、偏光板の回転角度は調整状態に維持される。」
　
ウ　図１２は次のものである。
　
４　対比・判断
（１）対比
ア　本願発明と引用発明とを対比する。
（ア）引用発明の「光軸方向から見てほぼ矩形状の輪郭を有する小レンズがマトリクス状に配列された構成を有し、前記各小レンズは、光源ランプ４１１から射出される光束を、複数の部分光束に分割し」ている「第１レンズアレイ４１２」は、本願発明の「光源から出射される光を複数の光束に分割するレンズアレイ」に相当する。
　
（イ）引用発明の「第１レンズアレイ４１２は、光軸方向から見てほぼ矩形状の輪郭を有する小レンズがマトリクス状に配列された構成を有し、前記各小レンズは、光源ランプ４１１から射出される光束を、複数の部分光束に分割し、前記偏光変換光学素子４１４によって１種類の偏光光に変換された各部分光」を、「最終的に電気光学装置４４の液晶パネル４４１Ｒ，４４１Ｇ，４４１Ｂ上にほぼ重畳」する「重畳レンズ４１５」は、本願発明の「前記レンズアレイからの光を集光する集光レンズ」に相当する。
　
（ウ）引用発明の「２枚のダイクロイックミラー４２４，４２５と、反射ミラー４２６とを備え、ダイクロイックミラー４２４、４２５によりインテグレータ照明光学系４０から射出された複数の部分光束を赤、緑、青の３色の色光に分離する機能を有」する「色分離光学系４２」は、本願発明の「前記集光レンズからの光の色を分離する色分離光学系」に相当する。
　
（エ）引用発明の「液晶パネル４４１Ｒ，４４１Ｇ，４４１Ｂ」を有し、「入射側偏光板４４２が取り付けられている断面略コ字形のカバー部６２Ｅとを備え、前記基部６１Ｅ及びカバー部６２Ｅは、３つの各液晶パネル４４１に応じて３つずつ設けられており」、「３つの各液晶パネル４４１の出射側に出射出側偏光板４４３が配置され」、「入射された光束を画像情報に応じて変調してカラー画像を形成するものであ」る「電気光学装置４４」の「液晶パネル」、「入射側偏光板４４２」及び「出射出側偏光板４４３」は、本願発明の「前記色分離光学系によって分離された光から光学像を形成する複数の映像表示素子」、「前記映像表示素子の光の入射側に配置される複数の入射偏光板」及び「前記映像表示素子の光の出射側に配置される複数の出射偏光板」にそれぞれ相当する。
　
（オ）引用発明の「各色光を合成するものであ」る「クロスダイクロイックプリズム４５０」は、本願発明の「前記色分離光学系により分離された光を合成するプリズム」に相当する。
　
（カ）引用発明の「投射レンズ４６」は、本願発明の「前記光学像を投射する投射レンズ」に相当する。　
　
（キ）引用発明の「吸気ファンＦ３」は、「前記下ライトガイド７１の底面部７１２の下面側のリブ７１２Ｃで囲まれた部分に」「設置され」、「冷却空気を液晶パネル４４１の下部から送る」から、液晶パネル４４１Ｒ，４４１Ｇ，４４１Ｂを冷却する吸気ファンＦ３といえる。
　そうすると、引用発明の「前記下ライトガイド７１の底面部７１２の下面側のリブ７１２Ｃで囲まれた部分に」「設置され」、「冷却空気を液晶パネル４４１の下部から送る」「吸気ファンＦ３」は、本願発明の「複数の映像表示素子を冷却するシロッコファン」と、「複数の映像表示素子を冷却するファン」である点で一致する。
　
（ク）引用発明の「前記液晶パネル４４１の光の入射側に配置され、基部６１Ｅに取り付けられた液晶パネル４４１の光束入射側を囲むように設けられ、入射側偏光板４４２が取り付けられている断面略コ字形」であって、「３つの筒状部が形成されることで前記環状のリブ７１２Ｃからの冷却空気の流路を分離」する「カバー部６２Ｅ」は、本願発明の「それぞれの前記映像表示素子の光の入射側に配置され、前記冷却ダクトからの冷却風の流路を分離する隔壁ダクト」に相当する。
　
（ケ）引用発明の「カバー部６２Ｅ」は、「液晶パネル４４１の光の入射側に配置され、基部６１Ｅに取り付けられた液晶パネル４４１の光束入射側を囲むように設けられ、入射側偏光板４４２が取り付けられている断面略コ字形」であって、「３つの各液晶パネル４４１に応じて３つずつ設けられており」、「入射側偏光板４４２からクロスダイクロイックプリズム４５０までの光路が、分離された色毎に隔てられた３つの筒状部に含まれるよう配置され」るから、入射側偏光板４４２からクロスダイクロイックプリズム４５０までの光路が、分離された色毎に隔てられた３つの筒状部に含まれるよう配置され、各光路の入射側偏光板４４２からクロスダイクロイックプリズム４５０までの側面を塞いでいるカバー部６２Ｅといえる。
　そして、各光路の入射側偏光板４４２からクロスダイクロイックプリズム４５０までの側面を塞いでいれば、液晶パネル４４１へ照射された光のうち液晶パネル４４１の有効光領域外に照射された光が投写レンズ４６へ入ることを抑えられる構造となっているものであることは当然である。
　そうすると、引用発明の「液晶パネル４４１の光の入射側に配置され、基部６１Ｅに取り付けられた液晶パネル４４１の光束入射側を囲むように設けられ、入射側偏光板４４２が取り付けられている断面略コ字形」であって、「３つの各液晶パネル４４１に応じて３つずつ設けられており」、「入射側偏光板４４２からクロスダイクロイックプリズム４５０までの光路が、分離された色毎に隔てられた３つの筒状部に含まれるよう配置され」る「カバー部６２Ｅ」は、本願発明の「前記入射偏光板から前記プリズムまでの光路が、分離された色毎に隔てられた空間に含まれるよう配置され」、「各光路の前記入射偏光板から前記プリズムまでの側面を塞いでいるため、前記映像表示素子へ照射された光のうち前記映像表示素子の有効光領域外に照射された光が前記投射レンズへ入ることを抑えられる構造となっている」「隔壁ダクト」に相当する。
　
（コ）引用発明の「プロジェクタ」は、本願発明の「投射型映像表示装置」に相当する。
　
イ　上記アによれば、本願発明と引用発明は、
「光源から出射される光を複数の光束に分割するレンズアレイと、
　前記レンズアレイからの光を集光する集光レンズと、
　前記集光レンズからの光の色を分離する色分離光学系と、
　前記色分離光学系によって分離された光から光学像を形成する複数の映像表示素子と、
　前記映像表示素子の光の入射側に配置される複数の入射偏光板と、
　前記映像表示素子の光の出射側に配置される複数の出射偏光板と、
　前記色分離光学系により分離された光を合成するプリズムと、
　前記光学像を投射する投射レンズと、
　前記複数の映像表示素子を冷却するファンと、
　それぞれの前記映像表示素子の光の入射側に配置され、前記冷却ダクトからの冷却風の流路を分離する隔壁ダクトと、を備え、
　前記隔壁ダクトは、前記入射偏光板から前記プリズムまでの光路が、分離された色毎に隔てられた空間に含まれるよう配置され、
　前記隔壁ダクトは、各光路の前記入射偏光板から前記プリズムまでの側面を塞いでいるため、前記映像表示素子へ照射された光のうち前記映像表示素子の有効光領域外に照射された光が前記投射レンズへ入ることを抑えられる構造となっている、
　投射型映像表示装置。」
である点で一致し、下記（ア）及び（イ）の点で相違する。
　
（ア）本願発明のファンは「シロッコファン」であって、「シロッコファンからの冷却風を前記映像表示素子の下部から送るための冷却ダクト」を備えるのに対して、引用発明のファンは「シロッコファン」とは特定されず、また、「シロッコファンからの冷却風を前記映像表示素子の下部から送るための冷却ダクト」を備えると特定されない点（以下、「相違点１」という。）
　
（イ）本願発明は、「入射偏光板」が、「回転調整部材を介して前記隔壁ダクトに取り付けられ、前記隔壁ダクトは、前記回転調整部材の回転中心を決める機能と前記回転調整部材を保持する機能を備え」るのに対して、引用発明の「入射側偏光板４４２」は、このように構成されるとは特定されない点（以下「相違点２」という）。
　
（２）判断
ア　上記相違点１について検討する。
　液晶表示装置における冷却手段のファンとしてシロッコファンを採用し、当該シロッコファンからの冷却風を映像表示素子の下部から送るための冷却ダクトを備える構成とする点は、上記引用文献２ないし４に記載されるとおり、本願国際出願日当時周知の事項であるから、引用文献２ないし４に記載の周知事項に基づいて、上記相違点１にかかる本願発明の構成とすることは当業者が容易に想到し得たことである。
　
イ　上記相違点２について検討する。
　引用発明の「入射側偏光板４４２」は、「カバー部６２Ｅの液晶パネル４４１と対向する面には、液晶パネル４４１への入射光束を透過させるための第２の開口部６２２Ａが形成され、前記第２の開口部６２２Ａには入射側偏光板４４２が取り付けられ」るから、入射側偏光板４４２は、液晶パネル４４１へ光を入射させるための第２の開口部６２２Ａを塞ぐように、カバー部６２Ｅに取り付けられているといえるところ、発明を実施するに際して、偏光板を角度調整することは本願国際出願日当時の技術常識であり、また、液晶表示装置の偏光板を回転調整部材を介して取り付ける点は、上記引用文献５及び６に記載されるとおり、本願国際出願日当時周知の事項であるから、引用文献５及び６に記載の周知事項に基づいて、カバー部６２Ｅに前記回転調整部材の回転中心を決める機能と前記回転調整部材を保持する機能を備える構成とすることは当業者が容易に想到し得たことである。
　
（３）小括
　以上の検討によれば、本願発明は、引用発明及び引用文献２ないし６に記載されるような各周知技術に基づいて当業者が容易に発明をすることができたものである。
　
５　むすび
　以上のとおり、本願発明は、引用発明及び引用文献２ないし６に記載された周知技術に基づいて当業者が容易に発明をすることができたものであるから、特許法第２９条第２項の規定により、特許を受けることができないものである。
　
　よって、結論のとおり審決する。